(57)【要約】【課題】利用しないときは畳んでおけると共に、水を貯留させたときに所定の保形力を発揮する袋状花器１を、適切且つ合理的な構造のものとして提供する。【解決手段】底面部２及び側面部３を有して底面部２と反対の側を開口部４とした内部に水を貯留可能な袋状をなす。側面部３に付設された開放部の絞り紐１４と、側面部３に内蔵される弾性変形可能な第一及び第二の保形板１５、１６とを備えている。第一の保形板１５を、袋の中心軸ｘを挟んだ一方側にあって中心軸ｘを巡る側面部３の全寸法の実質的に半分となる幅を有して、側面部３の下端に板下端１５ｂを位置させたものとし、第二の保形板１６を、中心軸ｘを挟んだ他方側にあって、中心軸ｘを巡る側面部３の全寸法の実質的に半分となる幅を有して、側面部３の下端に板下端１６ｂを位置させたものとしてなる。【選択図】図３
2018130424.tif 000002
【特許請求の範囲】
【請求項１】
底面部及び側面部を有して前記底面部と反対の側を開口部とした内部に水を貯留可能な袋状をなすと共に、
前記側面部に内蔵されて前記側面部を保形する弾性変形可能な第一及び第二の保形板とを備えており、
前記第一の保形板を、袋の中心軸を挟んだ一方側にあって、この中心軸を巡る前記側面部の全寸法の実質的に半分となる幅を有して、前記側面部の下端に板下端を位置させたものとし、
前記第二の保形板を、前記中心軸を挟んだ他方側にあって、前記中心軸を巡る前記側面部の全寸法の実質的に半分となる幅を有して、前記側面部の下端に板下端を位置させたものとしてなる、袋状花器。
【請求項２】
底面部及び側面部を有して前記底面部と反対の側を開口部とした内部に水を貯留可能な袋状をなすと共に、
前記側面部に付設された前記開放部の絞り紐と、
前記側面部に内蔵されて前記側面部を保形する弾性変形可能な第一及び第二の保形板とを備えており、
前記第一の保形板を、袋の中心軸を挟んだ一方側にあって、この中心軸を巡る前記側面部の全寸法の実質的に半分となる幅と、前記側面部の下端に板下端を位置させ前記絞り紐の付設位置よりも下方に板上端を位置させる高さとを有したものとし、
前記第二の保形板を、前記中心軸を挟んだ他方側にあって、前記中心軸を巡る前記側面部の全寸法の実質的に半分となる幅と、前記側面部の下端に板下端を位置させ前記絞り紐の付設位置よりも下方に板上端を位置させる高さとを有したものとしてなる、袋状花器。
【発明の詳細な説明】
【技術分野】
【０００１】
この発明は、畳んでフラットな状態として保管可能でありながら、内部に水を入れることで花器として利用可能な袋状花器に関する。
【背景技術】
【０００２】
水を貯留可能な合成樹脂製の袋はそれ自体保形力がないため、花を生ける用途では利用できない。袋状のものに、所定の保形力を、その内部に水を貯留させたときにそれが発揮されるように備えさせることができれば、利用しないときは収納などに便利なように折り畳んでおけると共に、水を貯留させたときは自立可能な、今までにない外観性を備えた花器としての利用が可能と考えられる。
【発明の概要】
【発明が解決しようとする課題】
【０００３】
この発明が解決しようとする主たる問題点は、利用しないときは畳んでおけて水を貯留可能な袋状をなすと共に、水を貯留させたときに所定の保形力を発揮する袋状花器を、適切且つ合理的な構造のものとして提供する点にある。
【課題を解決するための手段】
【０００４】
また、前記課題を達成するために、この発明にあっては、袋状花器を、第一の観点から、底面部及び側面部を有して前記底面部と反対の側を開口部とした内部に水を貯留可能な袋状をなすと共に、
前記側面部に内蔵されて前記側面部を保形する弾性変形可能な第一及び第二の保形板とを備えており、
前記第一の保形板を、袋の中心軸を挟んだ一方側にあって、この中心軸を巡る前記側面部の全寸法の実質的に半分となる幅を有して、前記側面部の下端に板下端を位置させたものとし、
前記第二の保形板を、前記中心軸を挟んだ他方側にあって、前記中心軸を巡る前記側面部の全寸法の実質的に半分となる幅を有して、前記側面部の下端に板下端を位置させたものとしてなる、ものとした。
【０００５】
第一の観点にかかる袋状花器は、先ず、前記第一の保形板と前記第二の保形板との間に前記底面部を折り込むようにして畳むことができ、フラットな状態として保管可能である。袋状花器内に水を入れると、前記第一の保形板と前記第二の保形板はそれぞれ貯留される水の自重により、前記中心軸側を湾曲内側とするように外膨らみ状に湾曲し、袋状花器は筒状の花器となる。このように湾曲される第一の保形板と第二の保形板により底面部は展張される。これにより、袋状花器は、内部に水を貯留させた状態においては置いて飾ることが可能となる。袋状花器の内部は、利用後は洗浄も容易に行える。
【０００６】
また、前記課題を達成するために、この発明にあっては、袋状花器を、第二の観点から、底面部及び側面部を有して前記底面部と反対の側を開口部とした内部に水を貯留可能な袋状をなすと共に、
前記側面部に付設された前記開放部の絞り紐と、
前記側面部に内蔵される弾性変形可能な第一及び第二の保形板とを備えており、
前記第一の保形板を、袋の中心軸を挟んだ一方側にあって、この中心軸を巡る前記側面部の全寸法の実質的に半分となる幅と、前記側面部の下端に板下端を位置させ前記絞り紐の付設位置よりも下方に板上端を位置させる高さとを有したものとし、
前記第二の保形板を、前記中心軸を挟んだ他方側にあって、前記中心軸を巡る前記側面部の全寸法の実質的に半分となる幅と、前記側面部の下端に板下端を位置させ前記絞り紐の付設位置よりも下方に板上端を位置させる高さとを有したものとしてなる、ものとした。
【０００７】
第二の観点にかかる袋状花器は、先ず、前記第一の保形板と前記第二の保形板との間に前記底面部を折り込むようにして畳むことができ、フラットな状態として保管可能である。袋状花器内に水を入れると、前記第一の保形板と前記第二の保形板はそれぞれ貯留される水の自重により、前記中心軸側を湾曲内側とするように外膨らみ状に湾曲し、袋状花器は筒状の花器となる。このように湾曲される第一の保形板と第二の保形板により底面部は展張される。これにより、袋状花器は、内部に水を貯留させた状態においては置いて飾ることが可能となる。また、かかる袋状花器は、前記第一の保形板と前記第二の保形板の板上端の上方を、前記絞り紐を利用して引き絞ることができ、生けられる花の本数などに合わせて前記開口部側を絞った態様で飾ることができる。すなわち、袋状花器は巾着状をなしている。絞り紐は、利用者の好みに合わせて、様々な形に結ぶことができる。それと共に、前記絞り紐を利用して壁に設けられた引っかけ部に絞り紐を引っかけるなどして、吊り下げて飾ることもできる。袋状花器の内部は、利用後は洗浄も容易に行える。
【発明の効果】
【０００８】
この発明によれば、水を貯留可能な袋状をなすと共に、利用しないときは畳んでおけて水を貯留させたときに所定の保形力を発揮する袋状花器を、適切且つ合理的な構造のものとして提供することができる。
【図面の簡単な説明】
【０００９】
【図１】図１は、この発明の一実施の形態にかかる袋状花器の構成要素を分解して示した分解斜視構成図である。
【図２】図２は、前記袋状花器の斜視構成図であり、折り畳んだ状態を示している。
【図３】図３は、図２におけるＡ−Ａ線位置での端面構成図である。
【図４】図４は、前記袋状花器の斜視構成図であり、内部に水を入れた状態を示している。
【図５】図５は、図４におけるＢ−Ｂ線位置での端面構成図である。
【図６】図６は、前記袋状花器に花を生けた状態を示した斜視図である。
【図７】図７は、花を生けた前記袋状花器を壁に吊り下げるようにディスプレイした状態を示した斜視図である。
【発明を実施するための形態】
【００１０】
以下、図１〜図７に基づいて、この発明の典型的な実施の形態について、説明する。この実施の形態にかかる袋状花器１は、畳んでフラットな状態として保管可能でありながら、内部に水Ｗを入れることで筒状の花器となりこの状態においては置いて飾ることができ、また、吊り下げて飾ることもできるものである。
【００１１】
かかる袋状花器１は、底面部２及び側面部３を有して前記底面部２と反対の側を開口部４とした内部に水Ｗを貯留可能な袋状をなしている。
【００１２】
図示の例では、袋状花器１の主体部５は、外観を構成する外側袋体６と、水を通さない材料からなる内側袋体７とから構成されている。外側袋体６は、典型的には、織生地や合成樹脂製のシートなどから構成される。内側袋体７は、典型的には、内部に水を貯留可能な合成樹脂製のシートから構成される。前記主体部５は、単層のシートから構成することも可能であり、また、三層以上のシートで構成することも可能である。
【００１３】
図示の例では、外側袋体６は、実質的に長方形の一枚の生地６ａから構成されている。
【００１４】
前記生地６ａの長さ方向の中間に位置する前記生地６ａの幅方向に沿った仮想の中間線分６ｂ（図１にその位置を示す。）を挟んだ一方側に位置される前記生地６ａの幅方向に沿った仮想の第一線分６ｃ（図１にその位置を示す。）と、
前記中間線分６ｂを挟んだ他方側に位置される前記生地６ａの幅方向に沿った仮想の第二線分６ｄ（図１にその位置を示す。）との間が、前記底面部２を構成する底面部構成部分６ｅとなるようになっている。
【００１５】
前記生地６ａの一端と前記第一線分６ｃとの間が前記側面部３における後述の中心軸ｘを挟んだ一方側を構成する一方側構成部分６ｆとなり、前記生地６ａの他端と前記第二線分６ｄとの間が前記側面部３における後述の中心軸ｘを挟んだ他方側を構成する他方側構成部分６ｇとなるようになっている。
【００１６】
前記中間線分６ｂ位置で底面部構成部分６ｅを二つ折りにして、この底面部構成部分６ｅを前記一方側構成部分６ｆと他方側構成部分６ｇとの間に挟み込むようにした状態から（図１参照）、前記生地６ａの長さ方向に沿った両縁部６ｉ、６ｉにそれぞれ縫着を施すことで、前記一枚の生地６ａから有底筒状の外側袋体６が生成されている。
【００１７】
内側袋体７は、外側袋体６と実質的に同じ大きさと形状を備えて、外側袋体６内に納まっている。内側袋体７も、有底筒状を呈している。
【００１８】
図示の例では、外側袋体６と内側袋体７とは、その開放端６ｈ、７ａにおいて後述の中心軸ｘを巡るように形成された第一周回縫着部８によって一体化されており、この第一周回縫着部８に囲まれた箇所が前記開口部４（生け花などの生け込み口）となっている。
【００１９】
図示の例では、外側袋体６と内側袋体７とは、前記開口部４と前記底面部２との間であって、後述の第一の保形板１５の板上端１５ａ及び第二の保形板１６の上端１６ａの上方となる位置においても前記第一周回縫着部８と平行をなす第二周回縫着部９によって一体化されている。
【００２０】
また、図示の例では、前記第一周回縫着部８と前記第二周回縫着部９との間にはこれらと平行をなす第三周回縫着部１０が形成されている。
【００２１】
第三周回縫着部１０と第二周回縫着部９との間には、後述の中心軸ｘを巡るように、後述の絞り紐１４の通し部１２が形成されている。
【００２２】
前記側面部３には、前記開口部４の絞り紐１４が付設されている。図示の例では、前記側面部３には、二本の絞り紐１４、１４が付設されている。
【００２３】
図示の例では、前記外側袋体６における前記生地６ａの長さ方向に沿った両縁部６ｉ、６ｉに一部縫着しない箇所を作ることにより、左右にそれぞれ前記通し部１２に連通した絞り紐１４の引き出し用のスリット１３を形成させている。
【００２４】
図示の例では、二本の絞り紐１４、１４の一方は、前記通し部１２を巡ってその両端をそれぞれ図２における右側のスリット１３から外側に延び出させている。また、二本の絞り紐１４の他方は、前記通し部１２を巡ってその両端をそれぞれ図２における左側のスリット１３から外側に延び出させている。図中符号１４ａは絞り紐１４のスリット１３からの延び出し箇所に付けられた結び目である。
【００２５】
また、前記側面部３には、前記側面部３を保形する弾性変形可能な弾性変形可能な第一及び第二の保形板１５、１６が内蔵されている。第一及び第二の保形板１５、１６は、外力が作用されない状態では仮想の一つの平坦面に沿った形態を持ち、外力が作用されると弾性変形して湾曲し、外力の作用が止むと前記仮想の一つの平坦面に沿った形態に弾性復帰する材質のもの、典型的には、合成樹脂製の板体から構成される。
【００２６】
前記第一の保形板１５は、袋の中心軸ｘを挟んだ一方側にあって、この中心軸ｘを巡る前記側面部３の全寸法（前記主体部５の太さ）の実質的に半分となる幅と、前記側面部３の下端に板下端１５ｂを位置させ前記絞り紐１４の付設位置よりも下方に板上端１５ａを位置させる高さとを有したものとなっている。
【００２７】
また、前記第二の保形板１６は、前記中心軸ｘを挟んだ他方側にあって、前記中心軸ｘを巡る前記側面部３の全寸法の実質的に半分となる幅と、前記側面部３の下端に板下端１６ｂを位置させ前記絞り紐１４の付設位置よりも下方に板上端１６ａを位置させる高さとを有したものとしてなっている。
【００２８】
図示の例では、第一の保形板１５及び第二の保形板１６の板上端１５ａ、１６ａは、前記第二周回縫着部９の下方であって、前記主体部５の上下寸法の約半分となる位置に位置するようになっている。
【００２９】
また、図示の例では、前記第一線分６ｃ及び前記第二線分６ｄに沿った側面部３の下端に形成された第四周回縫着部１１によって前記外側袋体６を構成する生地６ａと前記第一の保形板１５及び第二の保形板１６の板下端１５ｂ、１６ｂとが一体化されている。
【００３０】
すなわち、前記一方側構成部分６ｆにおける前記第一線分６ｃに沿った箇所と第一の保形板１５の板下端１５ｂとが第四周回縫着部１１によって一体化され、かつ、前記他方側構成部分６ｇにおける前記第二線分６ｄに沿った箇所と第二の保形板１６の板下端と１６ｂが第四周回縫着部１１によって一体化されている。
【００３１】
より具体的には、第一の保形板１５は、外側袋体６の一方側構成部分６ｆと内側袋体７との間にその板面を一方側構成部分６ｆの内面に向き合わせるようにして介在され、第二の保形板１６は、外側袋体６の他方側構成部分６ｇと内側袋体７との間にその板面を一方側構成部分６ｆの内面に向き合わせるようにして介在されるようになっている（図３）。
【００３２】
かかる袋状花器１は、先ず、前記第一の保形板１５と前記第二の保形板１６との間に前記底面部２を折り込むようにして畳むことができ、フラットな状態として保管可能である（図３）。袋状花器１内に水Ｗを入れると、前記第一の保形板１５と前記第二の保形板１６はそれぞれ貯留される水Ｗの自重により、前記中心軸ｘ側を湾曲内側とするように外膨らみ状に湾曲し、袋状花器１は筒状の花器となる（図４、図５）。このように湾曲される第一の保形板１５と第二の保形板１６により前記のように折り込まれていた底面部２は展張され、前記中心軸ｘに対し直交する平面を形成する（図５）。これにより、袋状花器１は、内部に水を貯留させた状態においては置いて飾ることが可能となる。また、かかる袋状花器１は、前記第一の保形板１５と前記第二の保形板１６の板上端の上方を、前記絞り紐１４を利用して引き絞ることができ、生けられる花の本数などに合わせて前記開口部４側を絞った態様で飾ることができる。すなわち、袋状花器１は巾着状をなしている。絞り紐１４は、利用者の好みに合わせて、様々な形に結ぶことができる。それと共に、前記絞り紐１４を利用して壁に設けられた引っかけ部に絞り紐１４を引っかけるなどして、吊り下げて飾ることもできる(図７)。袋状花器１の内部は、利用後は洗浄も容易に行える。図示の例では、内側袋体７は、前記開口部４側で外側袋体６と縫着されており、内側袋体７の底側を外側袋体６内から外方に引っ張り出すことも可能であり、そのようにすれば洗浄後の乾燥の利便が図られる。
【００３３】
図示の例では、前記第一の保形板１５及び前記第二の保形板１６は、板上端１５ａ、１６ａと、板側端１５ｃ、１６ｃとを、左右のアール状部１５ｄ、１６ｄによって連続させた形態となっている。これにより、前記絞り紐１４によって前記開口部４側を絞ったときに前記第一の保形板１５及び前記第二の保形板１６の形状が袋状花器１の外観に突起状に表れ難くなっている。
【００３４】
なお、当然のことながら、本発明は以上に説明した実施態様に限定されるものではなく、本発明の目的を達成し得るすべての実施態様を含むものである。
【符号の説明】
【００３５】
ｘ  中心軸
１  袋状花器
２  底面部
３  側面部
４  開口部
１４  絞り紐
１５  第一の保形板
１５ａ  板上端
１５ｂ  板下端
１６  第二の保形板
１６ａ  板上端
１６ｂ  板下端
【図１】
2018130424.tif 000003
【図２】
2018130424.tif 000004
【図３】
2018130424.tif 000005
【図４】
2018130424.tif 000006
【図５】
2018130424.tif 000007
【図６】
2018130424.tif 000008
【図７】
2018130424.tif 000009